(57)【要約】【課題】  蛍光管の交換作業を簡略化でき、天井面コーナー部にも設置することができ、室内の使用用途に応じた指向性を備えている指向性型照明器具を提供すること。【解決手段】  略円筒状のアダプタ本体の周面に、径方向に出没自在に設けられた一対の係止部材を備えたアダプタ２と、一対の係止部材に着脱自在に係合する円形の受部を有し、該受部を介して前記アダプタの円周方向に回動可能に取り付けられる照明器具本体３とからなる。照明器具本体３の外形を扇形状とし、扇形の対称軸線上で、該扇形の要Ｅよりも該扇形の外周と反対方向に距離をおいた点Ａに円形の受部１３の中心を位置して設ける。受金付きソケット１４を介して装着される棒状の蛍光管１５を、円形の受部１３の中心に対して放射状に複数配置する。【選択図】    図２
2005093320.tif 000002
【特許請求の範囲】
【請求項１】
天井に対して装着される略円筒状のアダプタ本体の周面に、径方向に出没自在に設けられた一対の係止部材を備えたアダプタと、前記一対の係止部材に着脱自在に係合する円形の受部を有し、該受部を介して前記アダプタの円周方向に回動可能に取り付けられる照明器具本体とからなる照明器具において、
前記照明器具本体の外形を扇形状とし、前記扇形の対称軸線上で、該扇形の要よりも該扇形の外周と反対方向に距離をおいた点に前記円形の受部の中心を位置して設け、受金付きソケットを介して装着される棒状の蛍光管を、前記円形の受部の中心に対して放射状に複数配置したことを特徴とする指向性型照明器具。
【発明の詳細な説明】
【技術分野】
【０００１】
本発明は、天井面に装着されたシーリングローゼットに着脱自在に取りつけられたアダプタに対して、照明器具本体が着脱可能かつアダプタの円周方向に回動可能に取り付けられる指向性型照明器具に関する。
【背景技術】
【０００２】
従来より、環状型蛍光管を採用した照明器具は広く知られている。しかし、環状型蛍光管を採用した照明器具の場合、環状型蛍光管を交換する際、まず、蛍光管を支持しているフック状の支持具（２箇所）を蛍光管筒部から外し、次に、コネクタ付き支持具から蛍光管のコネクタ部を抜いて交換するため、２本の蛍光管の交換に要する作業は非常に面倒であった。
【０００３】
また、環状型蛍光管を採用した照明器具が、天井面に装着されたシーリングローゼットに着脱自在に取りつけられた略円筒状のアダプタ本体の周面に対して、照明器具本体を着脱可能に取り付ける構造のものでは、環状型蛍光管の形状に合わせて照明器具本体の形状が正円形状となり、アダプタ本体を嵌合する照明器具本体の受部が正円形状の照明器具本体の中央に設けられている。このため、天井面コーナー部に照明器具を設置したい場合、照明器具本体が正円形状であると、取付位置とコーナー壁との関係で形状的に取り付けることができない。
【発明の開示】
【発明が解決しようとする課題】
【０００４】
本発明の目的は、蛍光管の交換作業を簡略化でき、天井面コーナー部にも設置することができ、室内の使用用途に応じた指向性を備えている指向性型照明器具を提供することにある。
【課題を解決するための手段】
【０００５】
請求項１に記載の指向性型照明器具は、天井に対して装着される略円筒状のアダプタ本体の周面に、径方向に出没自在に設けられた一対の係止部材を備えたアダプタと、前記一対の係止部材に着脱自在に係合する円形の受部を有し、該受部を介して前記アダプタの円周方向に回動可能に取り付けられる照明器具本体とからなるものであって、上記課題を解決するために、前記照明器具本体の外形を扇形状とし、前記扇形の対称軸線上で、該扇形の要よりも該扇形の外周と反対方向に距離をおいた点に前記円形の受部の中心を位置して設け、受金付きソケットを介して装着される棒状の蛍光管を、前記円形の受部の中心に対して放射状に複数配置したことを特徴とする。
【発明の効果】
【０００６】
請求項１に記載の構成によれば、蛍光管を交換する場合、交換作業が受金付きソケットのみで済むため、交換作業を簡略化でき、照明器具本体の外形を扇形状とし、扇形の対称軸線上で、扇形の要よりも扇形の外周と反対方向に距離をおいた点に円形の受部の中心を位置して設けたので、天井面コーナー部にも設置することができ、照明器具本体がその受部を介してアダプタの円周方向に回動可能であるので、室内の使用用途に応じて照明器具本体を回動することで光源の指向性を持たせることができる。
【発明を実施するための最良の形態】
【０００７】
以下、本発明の実施の形態を図面を参照して説明する。図１は、本実施形態の指向性型照明器具の分解斜視図である。指向性型照明器具１は、図示していない天井に設置された図示していないシーリングローゼットに対して着脱自在に取り付けられるアダプタ２と、アダプタ２に対して着脱自在に、かつアダプタ２の円周方向に回動可能に取り付けられる照明器具本体３とからなる。
【０００８】
アダプタ２は、例えば、特開２０００−３０５２３号公報や特開２００２−１４０９２２号公報に開示されているように公知のものであるので、概略のみを説明する。アダプタ２は、下面が開口した略円筒状のアダプタ本体４と、アダプタ本体４の下面を閉鎖する補強板５とを備え、アダプタ本体４の内部には、照明器具本体３を支持する一対の係止部材６が、径方向に沿って摺動可能に収納される共に、略円筒状のアダプタ本体４の周面に、径方向に出没自在に設けられている。また、アダプタ本体４の側面には、径方向に移動可能なロックボタン７が設けられ、このロックボタン７を押すと、栓刃挿入口（図示せず）に対する栓刃１６の回転が可能となり、アダプタ２をシーリングローゼットから外すことができるようになっている。
【０００９】
係止部材６の先端部には、後述する照明器具本体３の受部と係合可能な上下２段の係止爪８，８が形成される。係止爪８の下面は、先端寄り上方に傾斜したテーパー面となっている。また、一対の係止部材６，６に装着された解除突片９，９は、開口部１０，１０を通してアダプタ本体４の下面にそれぞれ突出し、開口部１０に規制された範囲内で径方向に移動できるようになっている。一対の解除突片９，９を互いに離間する方向に移動させることによって、係止爪８，８をアダプタ本体４に没入させることができる。
【００１０】
照明器具本体３の天板１１には、アダプタ２を挿入するためのアダプタ本体４よりも僅かに径大の円形の嵌合孔１２が開設される。なお、アダプタ２の一対の係止部材（係止爪８）と係合する受部１３は円形の嵌合孔１２の周縁部全周で構成されている。また、照明器具本体３の天板１１の下面には、複数（この実施形態では３つ）の受金付きソケット１４が嵌合孔１２の周囲に放射状に設けられると共に、受金付きソケット１４に棒状のソケット型蛍光管１５が装着されている。
【００１１】
図２は、指向性型照明器具１の下面図である。図２に示すように、照明器具本体３の外形は、扇形状をなす。また、円形の嵌合孔１２（或いはその周縁部全周である受部１３）は、扇形の対称軸線上で、該扇形の要Ｅよりも該扇形の外周と反対方向に距離をおいた点Ａに円形の受部１３（又は嵌合孔１２）の中心を位置して設けられている。各受金付きソケット１４，１４，１４は、嵌合孔１２の中心位置Ａから等距離でかつ等角度（この実施形態では４５度）間隔に配置され、受金付きソケット１４，１４，１４を介して装着される３つのソケット型蛍光管１５，１５，１５が、その先端を扇形の周方向に向けてそれぞれ４５度ずつ角度を変えて放射状に配置される。
【００１２】
照明器具本体３を天井に取り付けるには、先ず、アダプタ本体４の栓刃１６をシーリングローゼットの栓刃挿入口に挿入して、アダプタ本体４を天井に装着する。次に、照明器具本体３の嵌合孔１２をアダプタ本体４と一致させて照明器具本体３をアダプタ本体４に向けて押し上げると、アダプタ４の係止爪８，８が嵌合孔１２の周囲に押されてアダプタ本体４の内部に没入し、嵌合孔１２が係止爪８，８を通過すると、コイルスプリング（図示せず）の付勢力によって係止爪８，８は再度アダプタ本体４の周面から突出し、嵌合孔１２の受部１３の下面に係合して照明器具本体３を支持する。
【００１３】
以上により、照明器具本体３は、該受部１３を介してアダプタ２の円周方向に回動可能に取り付けられる。このため、室内の使用用途に応じて照明器具本体３を回動することで光源の指向性を持たせることができる。また、照明器具本体３の外形を扇形状となし、扇形の対称軸線上で、扇形の要Ｅよりも扇形の外周と反対方向に距離をおいた点Ａに円形の受部１３の中心を位置して設けたので、天井のコーナー壁を避けることが可能となり、照明器具本体３を天井面コーナー部にも設置することができる（図３参照）。さらに、蛍光管を交換する場合、交換作業が受金付きソケット１４に対する取り外し／取り付けのみで済むため（図４参照）、交換作業を簡略化できる。
【００１４】
照明器具本体３を外す場合には、一対の解除突片１９を径方向に沿って互いに離間するように移動操作すると、係止部材６同士が接近して係止爪８がアダプタ本体４の内部に没入し、照明器具本体３と係止爪８との係合が解除されて、照明器具本体３の取り外しが可能となる。
【図面の簡単な説明】
【００１５】
【図１】本実施形態の指向性型照明器具の分解斜視図
【図２】指向性型照明器具の下面図
【図３】天井面コーナー部に設置した状態を示す指向性型照明器具の斜視図
【図４】受金付きソケットに対する棒状の蛍光管の取り付け／取り外しを示す図
【符号の説明】
【００１６】
１  指向性型照明器具
２  アダプタ
３  照明器具本体
４  アダプタ本体
５  補強板
６  係止部材
７  ロックボタン
８  係止爪
９  解除突片
１０  開口部
１１  天板
１２  嵌合孔
１３  受部
１４  受金付きソケット
１５  ソケット型蛍光管
１６  栓刃
【図１】
2005093320.tif 000003
【図２】
2005093320.tif 000004
【図３】
2005093320.tif 000005
【図４】
2005093320.tif 000006